(57)【要約】【課題】横揺れと回転揺れのバランスを図る。【解決手段】本発明の空間安定化装置は、制御部、駆動部、エレベーション角取得部、クロスエレベーション角速度取得部、ズーム情報取得部を備える。制御部は、アジマス軸とエレベーション軸の角度または角速度を制御する。制御部は、カメラの揺れの角速度のクロスエレベーション軸成分によって生じる映像の横揺れを、エレベーション角とクロスエレベーション角速度情報に基づいてアジマス軸に角速度を与える制御をすることで低減する横揺れ低減手段を有する。アジマス軸に与える角速度は、前記ズーム情報が、ズーム倍率が低い状態であることを示しているほど低い。【選択図】図２
2020077930.tif 000002
【特許請求の範囲】
【請求項１】
カメラを安定化させる空間安定化装置であって、
あらかじめ定めた軸をアジマス軸、アジマス軸に垂直な状態を維持しながらアジマス軸回りに回転可能な軸をエレベーション軸、アジマス軸とエレベーション軸に垂直な軸をクロスエレベーション軸、エレベーション軸に垂直な状態を維持しながらエレベーション軸回りに回転可能であって前記カメラの撮影方向と一致する軸をロール軸、ロール軸とクロスエレベーション軸とがなす角をエレベーション角とし、
アジマス軸とエレベーション軸の角度または角速度を制御する制御部と、
前記制御部からの指示に従って、当該空間安定化装置を動作させる駆動部と、
エレベーション角を取得するエレベーション角取得部と、
クロスエレベーション軸の角速度を含む情報であるクロスエレベーション角速度情報を取得するクロスエレベーション角速度取得部と、
前記カメラのズーム情報を取得するズーム情報取得部と
を備え、
前記制御部は、カメラの揺れの角速度のクロスエレベーション軸成分によって生じる映像の横揺れを、エレベーション角とクロスエレベーション角速度情報に基づいてアジマス軸に角速度を与える制御をすることで低減する横揺れ低減手段を有し、
前記のアジマス軸に与える角速度は、前記ズーム情報が、ズーム倍率が低い状態であることを示しているほど低い
ことを特徴とする空間安定化装置。
【請求項２】
請求項１記載の空間安定化装置であって、
前記横揺れ低減手段は、所定のズーム倍率以下では、前記ズーム倍率に依存して前記の与える角速度を決める
ことを特徴とする空間安定化装置。
【請求項３】
請求項１記載の空間安定化装置であって、
前記横揺れ低減手段は、所定の画角以上では、前記画角に依存して与える角速度を決める
ことを特徴とする空間安定化装置。
【請求項４】
請求項１〜３のいずれかに記載の空間安定化装置であって、
ωｘＥＬをカメラの揺れの角速度のクロスエレベーション軸成分、θＥＬをエレベーション角、ｚを前記ズーム情報に基づいて定める０以上１以下の係数とし、
前記横揺れ低減手段の制御は、前記のアジマス軸に与える角速度ΩＡＺが、
ΩＡＺ＝ωｘＥＬ×ｆ（θＥＬ）
ただし、ｆ（θＥＬ）＝ｔａｎθＥＬ×ｚ
となるように制御する処理を含む
ことを特徴とする空間安定化装置。
【請求項５】
請求項４記載の空間安定化装置であって、
前記横揺れ低減手段は、エレベーション角θＥＬの変化によってｔａｎθＥＬの符号が変わる角度を含むあらかじめ定めた範囲では、
ΩＡＺ＝ωｘＥＬ×ｇ（θＥＬ）
ただし、ｇ（θＥＬ）は連続的な関数であって、前記あらかじめ定めた範囲の境界ではｇ（θＥＬ）＝ｆ（θＥＬ）が成り立つ
ように制御する
ことを特徴とする空間安定化装置。
【請求項６】
請求項１〜５のいずれかに記載の空間安定化装置であって、
前記のｆ（θＥＬ）の絶対値に上限を設けている
ことを特徴とする空間安定化装置。
【発明の詳細な説明】
【技術分野】
【０００１】
本発明はカメラを空間的に安定化する空間安定化装置に関する。
【背景技術】
【０００２】
空間安定装置の振動抑制制御をおこなう角速度制御装置として、特許文献１に記載された技術が知られている。図８は特許文献１の代表図（図８）である。特許文献１の要約の課題には『たわみ振動の影響を排除して高い空間安定性を確保することができる角速度制御装置を提供すること。』と記載され、解決手段には『視軸角速度検出部２１０が検出した角速度信号から、減算器１３０によりＡＺ軸回転成分を除去した後、フィルタ演算器１４０によりたわみ振動成分を除去する。こうしてロール方向回転成分のみとなった角速度信号と、ＡＺ軸角速度検出部が検出されたＡＺ軸回転成分を含む角速度信号を加算し、この信号を用いて振動補正のフィードバック制御をおこなう。このように、たわみ振動成分を排除して制御をおこなうことにより、制御の安定度を高め、高い空間安定性を実現させる。』と記載されている。
【先行技術文献】
【特許文献】
【０００３】
【特許文献１】特開２００６−９９６６３号公報
【発明の概要】
【発明が解決しようとする課題】
【０００４】
本明細書では、あらかじめ定めた軸をアジマス軸（ＡＺ軸）、アジマス軸に垂直な状態を維持しながらアジマス軸回りに回転可能な軸をエレベーション軸（ＥＬ軸）、アジマス軸とエレベーション軸に垂直な軸をクロスエレベーション軸（ｘ−ＥＬ軸）、エレベーション軸に垂直な状態を維持しながらエレベーション軸回りに回転可能であって前記カメラの撮影方向と一致する軸をロール軸（ＲＬ軸）とする。従来技術は、角速度のクロスエレベーション軸成分によって生じる横揺れが気にならないときでもアジマス軸の角速度を制御するため、回転揺れが目立ってしまうという課題がある。
【０００５】
本発明は、空間安定化装置における横揺れと回転揺れのバランスを図ることを目的とする。
【課題を解決するための手段】
【０００６】
本発明の空間安定化装置は、カメラを安定化させる。あらかじめ定めた軸をアジマス軸、アジマス軸に垂直な状態を維持しながらアジマス軸回りに回転可能な軸をエレベーション軸、アジマス軸とエレベーション軸に垂直な軸をクロスエレベーション軸、エレベーション軸に垂直な状態を維持しながらエレベーション軸回りに回転可能であって前記カメラの撮影方向と一致する軸をロール軸、ロール軸とクロスエレベーション軸とがなす角をエレベーション角とする。本発明の空間安定化装置は、制御部、駆動部、エレベーション角取得部、クロスエレベーション角速度取得部、ズーム情報取得部を備える。制御部は、アジマス軸とエレベーション軸の角度または角速度を制御する。駆動部は、制御部からの指示に従って、当該空間安定化装置を動作させる。エレベーション角取得部は、エレベーション角を取得する。クロスエレベーション角速度取得部は、クロスエレベーション軸の角速度を含む情報であるクロスエレベーション角速度情報を取得する。ズーム情報取得部は、カメラのズーム情報を取得する。前記制御部は、カメラの揺れの角速度のクロスエレベーション軸成分によって生じる映像の横揺れを、エレベーション角とクロスエレベーション角速度情報に基づいてアジマス軸に角速度を与える制御をすることで低減する横揺れ低減手段を有し、アジマス軸に与える角速度は、前記ズーム情報が、ズーム倍率が低い状態であることを示しているほど低い。
【発明の効果】
【０００７】
本発明の空間安定化装置によれば、横揺れが気になりにくいズーム倍率が低い状態のときには、角速度のクロスエレベーション軸成分を低減するためにアジマス軸に与える角速度を低くする。よって、アジマス軸に角速度を与えることによって与えてしまう回転揺れを抑えることができる。一方、横揺れが気になりやすいズーム倍率が高い状態のときには、角速度のクロスエレベーション軸成分を低減するためにアジマス軸に与える角速度を大きくする。よって、横揺れを優先して低減できる。したがって、空間安定化装置における横揺れと回転揺れのバランスを図ることができる。
【図面の簡単な説明】
【０００８】
【図１】軸とカメラの関係を示す図。
【図２】本発明の空間安定化装置の構成例を示す図。
【図３】横揺れについて説明するための図。
【図４】角速度のクロスエレベーション軸成分によって生じる横揺れを示す図。
【図５】角速度のクロスエレベーション軸成分によって生じる横揺れをアジマス軸に角速度を加えて除去したときの様子を示す図。
【図６】横揺れによって生じる振れ幅と画角の関係を説明するための図。
【図７】本発明の横揺れ低減手段の制御を説明するための図。
【図８】特許文献１の技術を示す図。
【発明を実施するための形態】
【０００９】
以下、本発明の実施の形態について、詳細に説明する。なお、同じ機能を有する構成部には同じ番号を付し、重複説明を省略する。
【実施例１】
【００１０】
図１は軸とカメラの関係を示す図である。図２は本発明の空間安定化装置の構成例を示す図である。図３は横揺れについて説明するための図、図４は角速度のクロスエレベーション軸成分によって生じる横揺れを示す図、図５は角速度のクロスエレベーション軸成分によって生じる横揺れをアジマス軸に角速度を加えて除去したときの様子を示す図である。図６は横揺れによって生じる振れ幅と画角の関係を説明するための図である。図７は本発明の横揺れ低減手段の制御を説明するための図である。
【００１１】
図１に示すように、カメラ９０は空間安定化装置１０を介して取り付け面８０に取り付けられる。また、取り付け面８０はヘリコプタなどの底面部分などである。空間安定化装置１０は取り付け面８０が揺れることによって生じる角速度を低減し、カメラ９０を安定化させる。本明細書内では、あらかじめ定めた軸をアジマス軸（ＡＺ軸）、アジマス軸に垂直な状態を維持しながらアジマス軸回りに回転可能な軸をエレベーション軸（ＥＬ軸）、アジマス軸とエレベーション軸に垂直な状態を維持しながらアジマス軸回りに回転可能な軸をクロスエレベーション軸（ｘ−ＥＬ軸）、エレベーション軸に垂直な状態を維持しながらエレベーション軸回りに回転可能であってカメラの撮影方向と一致する軸をロール軸（ＲＬ軸）、ロール軸とクロスエレベーション軸とがなす角をエレベーション角θＥＬとする。本発明が対象としている空間安定化装置は、アジマス軸とエレベーション軸の角度または角速度を制御できるが、クロスエレベーション軸の角度または角速度は制御できないことを前提とする。また、カメラの向きであるロール軸自体の角度または角速度も制御できないことを前提とする。なお、アジマス軸回りの回転とは、アジマス軸を中心とする回転を意味する。アジマス軸の角度または角速度とは、アジマス軸を中心とする回転（アジマス軸回りの回転）の角度または角速度を意味する。図１ではアジマス軸は取り付け面８０に垂直で上方向を正としているが、必ずしも取り付け面８０に垂直でなくてもよいし、下方向を正としてもよい。
【００１２】
空間安定化装置１０は、制御部３００、駆動部４００、エレベーション角取得部５４０、クロスエレベーション角速度取得部５１０、エレベーション角速度取得部５２０、アジマス角速度取得部５３０、ズーム情報取得部５５０を備える。エレベーション角取得部５４０は、エレベーション角θＥＬを取得する。クロスエレベーション角速度取得部５１０は、クロスエレベーション軸の角速度を含む情報であるクロスエレベーション角速度情報を取得する。エレベーション角速度取得部５２０は、エレベーション軸の角速度を含む情報であるエレベーション角速度情報を取得する。アジマス角速度取得部５３０は、アジマス軸の角速度を含む情報であるアジマス角速度情報を取得する。ズーム情報取得部５５０は、カメラのズーム情報を取得する。クロスエレベーション角速度情報、エレベーション角速度情報、アジマス角速度情報は、角速度自体でもよいし、角速度に一対一に対応した値でもよいし、それらをデジタル化（量子化）した値でもよい。また、空間安定化装置１０は、これらの角速度を直接求めるセンサを備えていてもよいし、異なる軸の加速度を変換することでクロスエレベーション角速度情報、エレベーション角速度情報、アジマス角速度情報を求めても構わない。ズーム情報は、ズーム倍率が分かる情報でもよいし、画角が分かる情報でもよい。なお、画角とは、レンズ６０が写す画像のうち撮像素子５０に写る範囲を角度で表したものである。水平画角、垂直画角、対角画角のどれを用いてもよいが、横揺れ低減に関する技術なので、水平画角を用いればよい。
【００１３】
制御部３００は、前提として示したように、アジマス軸とエレベーション軸の角度または角速度を制御する。駆動部４００は、制御部３００からの指示に従って、空間安定化装置１０を動作させる。カメラの揺れの角速度は、アジマス軸成分（アジマス軸を中心とする回転成分）、エレベーション軸成分（エレベーション軸を中心とする回転成分）、クロスエレベーション軸成分（クロスエレベーション軸を中心とする回転成分）に分けることができる。制御部１００は、揺れの角速度のアジマス軸成分とエレベーション軸成分を、逆方向に角速度を加えることで直接的に除去できる。実際にアジマス軸に加える角速度は、揺れの角速度のアジマス軸成分を除去するために加える角速度と、揺れの角速度のクロスエレベーション軸成分を低減するために加える角速度を加算したものになる。しかし、揺れの角速度のアジマス軸成分とエレベーション軸成分の除去は本発明の対象ではないので、これらの成分は従来技術で除去することを前提とし、以下では角速度の加算などの従来技術に関する説明は省略する。
【００１４】
次に、図３〜６を参照しながら横揺れと回転揺れについて説明する。ロール軸（ＲＬ軸）がクロスエレベーション軸（ｘ−ＥＬ軸）と一致する場合（エレベーション角θＥＬ＝０°の場合）、角速度のクロスエレベーション軸成分ωＥＬによってロール軸に生じるのはロール軸を中心とする回転揺れだけである。よって、本発明が低減する対象の横揺れは生じない。エレベーション角θＥＬ≠０°になると、ロール軸には回転揺れだけでなく角速度ωＥＬ×ｓｉｎθＥＬの横揺れも生じる。図４の点線で示した矢印５１は角速度のクロスエレベーション軸成分ωＥＬ＝０の場合であり、実線で示した矢印５２は角速度のクロスエレベーション軸成分ωＥＬ≠０の場合であって、アジマス軸には角速度を与えていない場合を示している。
【００１５】
エレベーション角θＥＬ≠０°の場合、アジマス軸（ＡＺ軸）に角速度ΩＡＺを与えると、ロール軸に角速度ΩＡＺ×ｃｏｓθＥＬの横揺れを与えることができる。つまり、ロール軸の横揺れの方向が逆向きになるように、
ΩＡＺ＝ωＥＬ×ｓｉｎθＥＬ／ｃｏｓθＥＬ＝ωＥＬ×ｔａｎθＥＬ
となる角速度ΩＡＺをアジマス軸に与えると、横揺れを除去できる。ただし、ｓｉｎθＥＬに比例した回転揺れを与えてしまうことになる。図５の点線で示した矢印５１は角速度のクロスエレベーション軸成分ωＥＬ＝０の場合であり、実線で示した矢印５３は角速度のクロスエレベーション軸成分ωＥＬ≠０の場合であって、アジマス軸に横揺れを除去する角速度ΩＡＺを与えた場合を示している。図５の矢印５３の方が、図４の矢印５２よりも横揺れは小さくなっているが、回転揺れは大きくなっている。
【００１６】
図６は撮像素子５０とレンズ６０をカメラ９０の上側から見た図であり、θｆは画角を示している。この場合の画角は、水平画角である。角度θｘＥＬは角速度のクロスエレベーション軸成分ωＥＬによって生じる横揺れの幅（角度）を示している。画角θｆはズーム倍率が低くなると広くなり、高くなると狭くなる。一方、角度θｘＥＬはズーム倍率には依存しない。つまり、ズーム倍率が低いとき（画角θｆが広いとき）、相対的に角度θｘＥＬは小さくなるので、撮像素子５０に映る像の横揺れは小さくなる。一方、回転揺れはズーム倍率（および画角）には依存しないので、ズーム倍率によらず撮像素子５０に映る像は同じように回転揺れする。そうすると、回転揺れの角度は同じでも、広い視野の画像が映っている方が撮像素子５０の外周に近い像ほど大きく揺れているように見える。つまり、ズーム倍率が低いときは、横揺れは気になりにくく、回転揺れは気になりやすいという特徴がある。一方、ズーム倍率が高くなると、撮像素子５０に映る像の横揺れが大きくなるので、横揺れは気になりやすく、回転揺れは相対的に気になりにくいという特徴がある。
【００１７】
そこで、制御部３００は、カメラの揺れの角速度のクロスエレベーション軸成分によって生じる映像の横揺れを、エレベーション角θＥＬとクロスエレベーション角速度情報に基づいてアジマス軸に角速度を与える制御をすることで低減する横揺れ低減手段３５０を有する。そして、横揺れ低減手段３５０がアジマス軸に与える角速度は、ズーム情報が、ズーム倍率が低い状態であることを示しているほど低い。例えば、横揺れ低減手段３５０は、所定のズーム倍率以下では、ズーム倍率に依存して与える角速度を決めればよい。または、横揺れ低減手段３５０は、所定の画角以上では、画角に依存して与える角速度を決めればよい。より具体的には、ｚをズーム情報に基づいて定める０以上１以下の係数とし、横揺れ低減手段３５０の制御は、アジマス軸に与える角速度ΩＡＺが、
ΩＡＺ＝ωｘＥＬ×ｆ（θＥＬ）
【００１８】
ただし、ｆ（θＥＬ）＝ｔａｎθＥＬ×ｚ
となるように制御すればよい。つまり、横揺れ低減手段３５０は、所定のズーム倍率以上ではｚ＝１とし、所定のズーム倍率以下ではズーム倍率が低いほど係数ｚを小さい値にすればよい。または、横揺れ低減手段３５０は、所定の画角以上ではｚ＝１とし、所定の画角以上では画角が広いほど係数ｚを小さい値にすればよい。なお、ズーム情報に基づいて決める係数ｚは、連続的に変化させた方が望ましい。撮影中にズーム倍率を変更したときに、係数ｚが急激に変化すると安定した制御が難しくなるからである。なお、「連続的に」とは、変化が駆動部４００にとって連続的な変化と等価であることを意味しており、デジタル信号の処理に伴う軽微な階段状の変化は、「連続的に変化」に含まれる。
【００１９】
なお、ｔａｎθＥＬは無限大の値を取る可能性も有るが、実際の制御では無限大の角速度を与えることは不可能なので、ｆ（θＥＬ）の絶対値に上限を設ければよい。また、ｔａｎθＥＬは符号が変わる角度がある。この角度を含むあらかじめ定めた範囲では、
ΩＡＺ＝ωｘＥＬ×ｇ（θＥＬ）
ただし、ｇ（θＥＬ）は連続的な関数であって、あらかじめ定めた範囲の境界ではｇ（θＥＬ）＝ｆ（θＥＬ）が成り立つ
ように制御すればよい。図７はこのような制御を行う場合のエレベーション角θＥＬと関数ｆ（θＥＬ）との関係を示す図である。横軸はエレベーション角θＥＬであり、図１の上向きが９０°、下向きが−９０°である。縦軸は関数ｆ（θＥＬ）である。なお、取り付け面８０の形状などによってはカメラ９０で撮影できない角度もあり得るが、図７では±１８０°の範囲での関数ｆ（θＥＬ）の変化を示している。
【００２０】
この図では、ｆｍａｘをｆ（θＥＬ）の絶対値の上限としている。ｚ＝１と設定されている場合（ズーム倍率が高い場合）は、エレベーション角θＥＬが角度θα（＝ｔａｎ−１（ｆｍａｘ））よりも大きくなるとｆ（θＥＬ）の絶対値は上限値ｆｍａｘとなり、角度−θα（＝ｔａｎ−１（−ｆｍａｘ））よりも小さくなるとｆ（θＥＬ）の絶対値は上限値ｆｍａｘとなる。また、ｚ＜１と設定されている場合（ズーム倍率が低い場合）は、図７中の点線で示されているような関数ｆ（θＥＬ）となる。エレベーション角θＥＬがさらに大きくなり、あらかじめ定めた範囲である（９０°−θβ）〜（９０°＋θβ）では、関数ｇ（θＥＬ）のようになる。同様に、あらかじめ定めた範囲である（−９０°＋θβ）〜（−９０°−θβ）でも、関数ｇ（θＥＬ）のようになる。θβは例えば１０°としてもよいし、１５°としてもよい。なお、境界である（９０°−θβ），（９０°＋θβ），（−９０°＋θβ），（−９０°−θβ）では、ｇ（θＥＬ）＝ｆ（θＥＬ）が成り立つ。関数ｇ（θＥＬ）は連続な関数であれば、二次関数、指数関数などの一次関数以外でも構わない。
【００２１】
本発明の空間安定化装置１０によれば、横揺れが気になりにくいズーム倍率が低い状態のときには角速度のクロスエレベーション軸成分を低減するためにアジマス軸に与える角速度を低くする。よって、アジマス軸に角速度を与えることによって与えてしまう回転揺れを抑えることができる。一方、横揺れが気になりやすいズーム倍率が高い状態のときには、角速度のクロスエレベーション軸成分を低減するためにアジマス軸に与える角速度を大きくする。よって、横揺れを優先して低減できる。したがって、空間安定化装置における横揺れと回転揺れのバランスを図ることができ、横揺れも回転揺れも気になりにくいように設定できる。
【符号の説明】
【００２２】
１０  空間安定化装置                  ５０  撮像素子
５１，５２，５３  矢印                ６０  レンズ
８０  取り付け面                      ９０  カメラ
３００  制御部                        ３５０  横揺れ低減手段
４００  駆動部                        ５１０  クロスエレベーション角速度取得部
５２０  エレベーション角速度取得部    ５３０  アジマス角速度取得部
５４０  エレベーション角取得部        ５５０  ズーム情報取得部
【図１】
2020077930.tif 000003
【図２】
2020077930.tif 000004
【図３】
2020077930.tif 000005
【図４】
2020077930.tif 000006
【図５】
2020077930.tif 000007
【図６】
2020077930.tif 000008
【図７】
2020077930.tif 000009
【図８】
2020077930.tif 000010